(57)【要約】      （修正有）【課題】利用者の多様な要望に対応することができる引出型収納装置を提供する。【解決手段】カップホルダ１は、例えば、車両３に設けられた収納部に出し入れ可能に収納され、引き出された状態で使用可能となるシガライタ２０を備えている。このカップホルダ１は、例えば、第１のホルダ１７又は第２のホルダ１８に適応する灰皿を設置すること、飲料用のカップを設置すること、が可能である。また、シガライタ２０が不要な場合は、例えば、シガライタ本体２１の代わりにシガライタホルダ２２に電源プラグ等を差し込んで、利用者が持ち込んだ電子機器等に電源供給させたり、シガライタ２０の代わりに電子機器等に電源供給させるアクセサリソケットをカップホルダ１に取り付けたりすることが、容易に可能となり、利用者の多様な要望に対応することができる。【選択図】図１
2013043545.tif 000002
【特許請求の範囲】
【請求項１】
車両に設けられた収納部に出し入れ可能に収納され、引き出された状態で使用可能となるシガライタ又はアクセサリソケットを備えた引出型収納装置。
【請求項２】
容器を保持する少なくとも１つの保持部を備えた請求項１に記載の引出型収納装置。
【請求項３】
前記収納部内の対向する側面のそれぞれに設けられた端子と電気的に接続する端子を側面に備えた請求項１又は請求項２に記載の引出型収納装置。
【請求項４】
前記シガライタ又は前記アクセサリソケットが収納される開口と、
前記収納部から引き出されると前記シガライタ又は前記アクセサリソケットを前記開口から突出させる弾性部材と、
を備えた請求項１乃至請求項３のいずれか１項に記載の引出型収納装置。
【請求項５】
前記収納部に収納された状態で開閉可能な開閉部を備えた請求項４に記載の引出型収納装置。
【請求項６】
前面に開口を備えた請求項４に記載の引出型収納装置。
【発明の詳細な説明】
【技術分野】
【０００１】
本発明は、引出型収納装置に関する。
【背景技術】
【０００２】
従来の技術として、回転軸を揺動中心として揺動可能に設けられた灰皿ボックスと、灰皿ボックスに設けられたシガライタと、シガライタの押し込みにより、灰皿ボックスの閉方向の移動を防止するストッパ部と、を備えたシガライタ内蔵式灰皿が知られている（例えば、特許文献１参照。）。
【０００３】
このシガライタ内蔵式灰皿は、灰皿ボックスを開けた状態でシガライタを押し込むと、ストッパ部により灰皿ボックスの閉方向への移動を防止することができる。
【先行技術文献】
【特許文献】
【０００４】
【特許文献１】特開平５−３８９７３号公報
【発明の概要】
【発明が解決しようとする課題】
【０００５】
近年、健康に対する関心の高まりにより、喫煙者が減少する傾向にある。そのため、車両に予め灰皿が設置されることは稀になっている。そこで、灰皿を搭載するスペースには、飲料の入った容器（カップ）を保持するカップホルダ等が、灰皿の代わりに搭載されている。また、車両には、持ち込まれる電子機器が増え、車両から電源を取る利用者が増加している。従って、利用者の多様な要望に対応することができる引出型収納装置が望まれている。
【０００６】
従って、本発明の目的は、利用者の多様な要望に対応することができる引出型収納装置を提供することにある。
【課題を解決するための手段】
【０００７】
本発明の一態様は、車両に設けられた収納部に出し入れ可能に収納され、引き出された状態で使用可能となるシガライタ又はアクセサリソケットを備えた引出型収納装置を提供する。
【発明の効果】
【０００８】
本発明によれば、利用者の多様な要望に対応することができる。
【図面の簡単な説明】
【０００９】
【図１】図１（ａ）は、実施の形態に係るカップホルダが搭載された車両内部の概略図であり、（ｂ）は、カップホルダの斜視図である。
【図２】図２（ａ）は、実施の形態に係るカップホルダの右側面図であり、（ｂ）は、カップホルダの左側面図であり、（ｃ）は、インストルメントパネルに設けられた収納部の概略図である。
【図３】図３（ａ）及び（ｂ）は、実施の形態に係るカップホルダの動作を説明するためにカップホルダを側面から見た模式図であり、（ｃ）は、変形例１に係るカップホルダを側面から見た模式図であり、（ｄ）は、変形例２に係るカップホルダの正面からの概略図である。
【発明を実施するための形態】
【００１０】
（実施の形態の要約）
実施の形態に係る引出型収納装置は、車両に設けられた収納部に出し入れ可能に収納され、引き出された状態で使用可能となるシガライタ又はアクセサリソケットを備える。
【００１１】
[実施の形態]
（カップホルダ１の構成）
図１（ａ）は、実施の形態に係るカップホルダが搭載された車両内部の概略図であり、（ｂ）は、カップホルダの斜視図である。図２（ａ）は、実施の形態に係るカップホルダの右側面図であり、（ｂ）は、カップホルダの左側面図であり、（ｃ）は、インストルメントパネルに設けられた収納部の概略図である。図３（ａ）及び（ｂ）は、実施の形態に係るカップホルダの動作を説明するためにカップホルダを側面から見た模式図。図３（ａ）及び（ｂ）は、カップホルダが収納部から引き出される様子を側面から見た模式的な図として示している。なお、実施の形態に係る各図において、部品と部品との比率は、実際の比率とは異なる場合がある。
【００１２】
ここで、以下に記載する上下左右は、車両３に搭載されたカップホルダ１を利用者側から見た場合を基準としており、利用者側から見た上を上方向、下を下方向、右を右方向、左を左方向と記載するものとする。また、以下に記載する「引き出す」とは、カップホルダ１を使用可能な状態になる位置まで引き出すことを意味し、収納部３００から完全に引き出す場合は、「取り外す」を用いるものとする。
【００１３】
また、以下では、カップホルダ１にシガライタ２０が設けられた場合について説明するが、シガライタ２０の代わりにアクセサリソケットを設けても良い。このアクセサリソケットとは、車両３のバッテリから電源を取るために設けられたものである。
【００１４】
実施の形態に係る引出型収納装置としてのカップホルダ１は、例えば、図１（ａ）に示すように、車両３のインストルメントパネル３０に設けられた収納部３００に、出し入れ可能に収納されている。なお、カップホルダ１が設けられる場所は、インストルメントパネル３０に限定されず、例えば、アームレスト３１の後部座席側の側面等であっても良い。
【００１５】
このカップホルダ１は、例えば、図１（ｂ）に示すように、車両３に設けられた収納部３００に出し入れ可能に収納され、引き出された状態で使用可能となるシガライタ２０を備えている。このシガライタ２０は、収納部３００からカップホルダ１を引き出すと、取り出し易いように跳ね上がるように構成されている。
【００１６】
カップホルダ１は、例えば、収納部３００に応じた薄い板形状を有する。このカップホルダ１は、例えば、ポリスチレン系、ポリエチレン系、ポリアミド系、アクリロニトリル／ブタジエン／スチレン（ＡＢＳ）等の合成樹脂材料を用いて形成される。
【００１７】
このカップホルダ１は、例えば、容器を保持する少なくとも１つの保持部としてホルダを備えている。本実施の形態に係るカップホルダ１は、一例として、第１のホルダ１７及び第２のホルダ１８を備えている。
【００１８】
また、カップホルダ１は、例えば、シガライタ２０を収納する開口１９を備えている。従って、カップホルダ１は、シガライタ２０の厚みに近い厚みで形成されている。
【００１９】
第１のホルダ１７及び第２のホルダ１８は、例えば、縁の形状が円形状となる貫通孔であり、カップホルダ１の表面１５の縁の半径が、裏面１６の縁の半径よりも大きくなるように構成されている。
【００２０】
この第１のホルダ１７及び第２のホルダ１８は、例えば、灰皿及び飲料用の容器（カップ）等を保持することが可能となっている。
【００２１】
開口１９は、第１のホルダ１７及び第２のホルダ１８の間に形成され、底部１９ａを有した引き出し方向に細長い形状を有している。なお、開口１９は、例えば、貫通孔であっても良い。開口１９は、貫通孔とすることにより、ホルダに保持されたカップから飲料が漏れた場合、シガライタ２０が飲料に浸ることを防止することが可能となる。貫通孔の場合、シガライタ２０を開口１９から突出させる機構は、一例として、後述する支持軸２００にねじりコイルばね（トーションばね）を用いた構成とされる。このねじりコイルばねとは、例えば、回転方向のトルク（ねじりモーメント）の発生を利用したばねである。
【００２２】
カップホルダ１の右側面１３には、例えば、図２（ａ）に示すように、引き出される方向に細長い矩形状となる端子１３ａが設けられている。また、端子１３ａは、前面１１よりも後面１２側に設けられている。
【００２３】
また、カップホルダ１の左側面１４には、例えば、図２（ｂ）に示すように、引き出される方向に細長い矩形状となる端子１４ａが設けられている。また、端子１４ａは、前面１１よりも後面１２側に設けられている。端子１３ａ及び端子１４ａは、例えば、銅等の導電性を有する金属材料、及び真鍮等の導電性を有する合金材料を用いて形成されるか、或いは、錫、ニッケル、金、銀等の金属材料を表面にメッキして形成される。
【００２４】
この端子１３ａ及び端子１４ａは、シガライタホルダ２２と電気的に接続されている。また、カップホルダ１がインストルメントパネル３０の収納部３００から引き出されると、例えば、図２（ｃ）に示すように、端子１３ａは、収納部３００の右側面３０２に設けられた端子３０２ａと電気的に接続し、端子１４ａは、収納部３００の左側面３０３に設けられた端子３０３ａと電気的に接続するように構成されている。
【００２５】
この端子１３ａ及び端子１４ａは、例えば、右側面１３及び左側面１４から突出するような厚みを有している。また、収納部３００の端子３０２ａ及び端子３０３ａは、例えば、右側面３０２及び左側面３０３から突出するような厚みを有している。従って、端子１３ａ及び端子１４ａは、例えば、収納部３００の右側面３０２の端子３０２ａと左側面３０３の端子３０３ａと、にそれぞれ摺動しながら電気的に接続される。なお、摺動とは、端子同士が接触しながら移動する様子を示すものである。
【００２６】
端子１３ａ及び端子１４ａは、例えば、銅等の導電性を有する金属材料、及び真鍮等の導電性を有する合金材料を用いて形成されるか、或いは、錫、ニッケル、金、銀等の金属材料を表面にメッキして形成される。
【００２７】
開口１９には、例えば、図３（ａ）及び（ｂ）に示すように、シガライタホルダ２２と底部１９ａの間に板ばね２３が配置されている。また、シガライタホルダ２２の端部には、開口１９の側面に形成された孔に挿入される支持軸２００が形成されている。シガライタ２０は、板ばね２３による弾性力を受けて支持軸２００を回転中心として回転する。
【００２８】
板ばね２３は、例えば、カップホルダ１が収納部３００から引き出されるとシガライタ２０を開口１９から突出させる弾性部材である。この板ばね２３は、例えば、鋼等の金属板を折り曲げて作成されたばねであり、その一方端は、開口１９の底部１９ａに取り付けられ、他方端部は、シガライタ２０のシガライタホルダ２２の下面２２１に取り付けられている。
【００２９】
シガライタ２０は、カップホルダ１が収納部３００に収納されているとき、板ばね２３は、例えば、図３（ａ）に示すように、シガライタホルダ２２に弾性力を付加している。その結果、シガライタホルダ２２の上面２２２が収納部３００の上面３０４に押し付けられている。
【００３０】
・シガライタ２０の構成
シガライタ２０は、例えば、発熱体、操作ノブ、スライドリング等から構成されるシガライタ本体２１と、挿入されたシガライタ本体２１を保持するホルダ及び発熱体に通電すると共に保持するバイメタル等から構成されるシガライタホルダ２２と、から概略構成されている。
【００３１】
このシガライタ２０は、例えば、シガライタ本体２１をホルダにスライドして装着し、さらに、操作ノブを押し込むと、シガライタ本体２１はバネ付勢力に抗して奥部へスライドして、ホルダに設けられた板ばね部により周囲を保持され、また、バイメタルによりスライド方向に保持される。バイメタルに保持された状態では、バイメタルを介して発熱体に通電路が形成される。発熱体に電流が流れると温度が上昇してバイメタルが外方に変形し、所定の温度に達するとバイメタルに保持されていたシガライタ本体２１がバネ付勢力により操作者側に突出移動する。操作者は、ホルダから前方に突出した操作ノブを引っ張ることにより、シガライタ本体２１をホルダから取り出して、シガライタ本体２１の発熱体により煙草に火を付けることができる。
【００３２】
具体的には、車両３のバッテリ、収納部３００に形成された端子３０２ａ、カップホルダ１の端子１３ａ、シガライタホルダ２２を経由する第１の経路と、車両３のバッテリ、収納部３００に形成された端子３０３ａ、カップホルダ１の端子１４ａ、シガライタホルダ２２を経由する第２の経路と、が形成され、シガライタホルダ２２にシガライタ本体２１が挿入され、操作ノブが押し込まれることで、第１の経路と第２の経路が電気的に接続され、発熱体に電流が流れる。
【００３３】
すなわち、カップホルダ１が収納部３００から引き出された状態で、電流がシガライタ２０に供給されるように、カップホルダ１は構成されている。
【００３４】
・収納部３００の構成
収納部３００は、例えば、図２（ｃ）に示すように、カップホルダ１に応じた形状を有している。この収納部３００の右側面３０２の前方には、端子３０２ａが設けられ、左側面３０３の前方には、端子３０３ａが設けられている。
【００３５】
この端子３０２ａ及び端子３０３ａは、車両３に搭載されたバッテリに電気的に接続されている。
【００３６】
以下に、本実施の形態に係るカップホルダの動作について各図を参照しながら説明する。
【００３７】
（動作）
利用者が、収納部３００に収納されたカップホルダ１を引き出す。
【００３８】
シガライタ２０は、板ばね２３により、収納部３００の上面３０４方向に押し付ける弾性力が付加されているので、カップホルダ１が引き出されるにつれて、収納部３００の角部３０１ａにシガライタホルダ２２の上面２２２が接触しながら、シガライタ２０が支持軸２００を中心に回転する。
【００３９】
この回転により、シガライタ２０は、図３（ｂ）に示すように、シガライタ２０が開口１９より突出する。
【００４０】
また、カップホルダ１が引き出されることにより、カップホルダ１の端子１３ａが、収納部３００の右側面３０２に沿って移動し、右側面３０２の端子３０２ａに摺動しながら電気的に接続するとともに、端子１４ａが、収納部３００の左側面３０３に沿って移動し、左側面３０３の端子３０３ａに摺動しながら電気的に接続する。
【００４１】
利用者は、シガライタ本体２１をシガライタホルダ２２に押し込む、又は、シガライタ本体２１をシガライタホルダ２２から抜き出し、電源プラグ等をシガライタホルダ２２に差し込む。
【００４２】
利用者は、カップホルダ１の使用が終了した後、カップホルダ１を収納部３００に収納するため、カップホルダ１を収納部３００に押し込む。
【００４３】
収納部３００の角部３０１ａがシガライタホルダ２２の上面２２２に接触しているため、カップホルダ１の押し込まれるにつれて、角部３０１ａによりシガライタホルダ２２が下方向に押され、板ばね２３が下方に弾性変形を行い、シガライタ２０は開口１９に収納される。
【００４４】
（実施の形態の効果）
本実施の形態に係るカップホルダ１は、利用者の多様な要望に対応することができる。具体的には、カップホルダ１は、例えば、第１のホルダ１７又は第２のホルダ１８に適応する灰皿を設置すること、飲料用のカップを設置すること、が可能である。また、シガライタ２０が不要な場合は、例えば、シガライタ本体２１の代わりにシガライタホルダ２２に電源プラグ等を差し込んで、利用者が持ち込んだ電子機器等に電源供給させたり、シガライタ２０の代わりに電子機器等に電源供給させるアクセサリソケットをカップホルダ１に取り付けたりすることが、容易に可能となり、利用者の多様な要望に対応することができる。
【００４５】
また、カップホルダ１は、シガライタ２０を備えているので、他の場所にシガライタ２０を配置する必要がない。従って、例えば、インストルメントパネル３０に配置されるスイッチ等の配置の自由度が増し、車室内のデザイン性が高まる。
【００４６】
さらに、カップホルダ１は、使用しないときは、収納部３００に収納されるので、意匠としても優れている。
【００４７】
シガライタ２０に供給される電流は、カップホルダ１の端子１３ａ及び端子１４ａ、及び収納部３００の端子３０２ａ及び端子３０３ａが接触することにより供給されるので、シガライタホルダ２２にハーネスを取り付ける場合と比べて、カップホルダ１を引き出したり押し込んだりする際に邪魔にならず、ハーネスの断線の可能性がない。
【００４８】
（変形例１）
図３（ｃ）は、変形例１に係るカップホルダを側面から見た模式図である。このシガライタホルダ２２には、一例として、車両３のバッテリから電流を供給させるための電源プラグ２４が挿入されている。
【００４９】
また、このカップホルダ１は、収納部３００に収納された状態で開閉可能な開閉部としての蓋１１ａを備えている。
【００５０】
従って、カップホルダ１は、電源プラグ２４がシガライタホルダ２２に差し込まれた場合、蓋１１ａが開けられることにより、電源プラグ２４のコード２５をカップホルダ１の外に取り出すことができる。この蓋１１ａは、カップホルダ１を収納部３００に収納した状態で開けることができるので、カップホルダ１を引き出した状態で、電源プラグ２４を使用しなくても良い。従って、このカップホルダ１は、利用者の利便性が高く、また、使用しない場合は、蓋１１ａを閉じることができるので、意匠としても優れている。
【００５１】
また、シガライタ２０の代わりにアクセサリソケットが設けられている場合も同様に、カップホルダ１は、蓋１１ａが開けられることにより、アクセサリソケットに差し込まれた電源コードをカップホルダ１の外に取り出すことができる。
【００５２】
（変形例２）
図３（ｄ）は、変形例２に係るカップホルダの正面からの概略図である。このカップホルダ１の前面１１には、例えば、図３（ｄ）に示すように、前面１１の上部に開口１１０が形成されている。つまり、変形例１と同様に、シガライタホルダ２２に電源プラグ２４が挿入された場合、カップホルダ１は、コード２５が開口１１０から取り出されるので、引き出した状態で使用されるのではなく、収納部３００に収納された状態で使用される。従って、このカップホルダ１は、利用者の利便性が高く、また、意匠としても優れている。
【００５３】
なお、変形例１及び変形例２において、収納部３００の端子３０２ａ及び３０３ａは、カップホルダ１が引き出された状態のみならず、カップホルダ１が収納された状態において、カップホルダ１の端子１３ａ及び端子１４ａと電気的に接続するように構成される。例えば、端子３０２ａ及び３０３ａが、右側面３０２及び左側面３０３の全域に渡って形成されても良いし、それぞれの側面の前方と後方の二箇所に端子が設けられても良い。
【００５４】
また、他の変形例として、変形例１に記載の蓋１１ａに開口１１０が形成されても良い。
【００５５】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００５６】
１…カップホルダ、３…車両、１１…前面、１１ａ…蓋、１２…後面、１３…右側面、１３ａ…端子、１４…左側面、１４ａ…端子、１５…表面、１６…裏面、１７…第１のホルダ、１８…第２のホルダ、１９…開口、１９ａ…底部、２０…シガライタ、２１…シガライタ本体、２２…シガライタホルダ、２３…板ばね、２４…電源プラグ、２５…コード、３０…インストルメントパネル、３１…アームレスト、１１０…開口、２００…支持軸、２２１…下面、２２２…上面、３００…収納部、３０１ａ…角部、３０２…右側面、３０２ａ…端子、３０３…左側面、３０３ａ…端子、３０４…上面
【図１】
2013043545.tif 000003
【図２】
2013043545.tif 000004
【図３】
2013043545.tif 000005